(57)【特許請求の範囲】
【請求項１】
一対の電極を有する高圧放電灯に、（ｉ）５０Ｈｚ以上１ｋＨｚ以下の低周波矩形波電流及び該低周波矩形波電流の極性反転時に挿入される１ｋＨｚより高い高周波電流１サイクルからなる交流電流であって該高周波電流１サイクルのうちの少なくとも後半の半サイクルのピーク電流値が該低周波矩形波の電流値よりも高い交流電流、又は（ii）５０Ｈｚ以上１ｋＨｚ以下の低周波矩形波電流及び該低周波矩形波電流からなる交流電流であって該低周波矩形波電流を構成する各半波要素の後半の実効電流値が前半の実効電流値よりも高い交流電流、のいずれかを供給するための交流電力供給手段を備えた高圧放電灯点灯装置において、
第１の周波数及び該第１の周波数よりも高い第２の周波数について、前記低周波矩形波電流の波形が、該第１又は第２の周波数から選択される周波数の正電流半波要素と該第１又は第２の周波数から選択される周波数の負電流半波要素との繰り返しからなり、所定の期間において該第１及び第２の周波数の正電流半波要素の実効値と該第１及び第２の周波数の負電流半波要素の実効値とが実質的に等しい波形であり、
前記低周波矩形波電流の繰り返しが、前記第１又は第２の周波数から交互に選択される周波数の正電流半波要素と該第１又は第２の周波数から交互に選択される周波数の負電流半波要素との繰り返しである高圧放電灯点灯装置。
【請求項２】
一対の電極を有する高圧放電灯に、（ｉ）５０Ｈｚ以上１ｋＨｚ以下の低周波矩形波電流及び該低周波矩形波電流の極性反転時に挿入される１ｋＨｚより高い高周波電流１サイクルからなる交流電流であって該高周波電流１サイクルのうちの少なくとも後半の半サイクルのピーク電流値が該低周波矩形波の電流値よりも高い交流電流、又は（ii）５０Ｈｚ以上１ｋＨｚ以下の低周波矩形波電流及び該低周波矩形波電流からなる交流電流であって該低周波矩形波電流を構成する各半波要素の後半の実効電流値が前半の実効電流値よりも高い交流電流、のいずれかを供給するための交流電力供給手段を備えた高圧放電灯点灯装置において、
第１の周波数及び該第１の周波数よりも高い第２の周波数について、前記低周波矩形波電流の波形が、該第１又は第２の周波数から選択される周波数の正電流半波要素と該第１又は第２の周波数から選択される周波数の負電流半波要素との繰り返しからなり、所定の期間において該第１及び第２の周波数の正電流半波要素の実効値と該第１及び第２の周波数の負電流半波要素の実効値とが実質的に等しい波形であり、
前記低周波矩形波電流が等しい時間幅の第１及び第２の波形群の繰り返しからなり、
該第１の波形群が前記第１の周波数の正電流半波要素及び前記第２の周波数の負電流半波要素の配列からなり、
該第２の波形群が前記第２の周波数の正電流半波要素及び前記第１の周波数の負電流半波要素の配列からなる
高圧放電灯点灯装置。
【請求項３】
一対の電極を有する高圧放電灯に、（ｉ）５０Ｈｚ以上１ｋＨｚ以下の低周波矩形波電流及び該低周波矩形波電流の極性反転時に挿入される１ｋＨｚより高い高周波電流１サイクルからなる交流電流であって該高周波電流１サイクルのうちの少なくとも後半の半サイクルのピーク電流値が該低周波矩形波の電流値よりも高い交流電流、又は（ii）５０Ｈｚ以上１ｋＨｚ以下の低周波矩形波電流及び該低周波矩形波電流からなる交流電流であって該低周波矩形波電流を構成する各半波要素の後半の実効電流値が前半の実効電流値よりも高い交流電流、のいずれかを供給するための交流電力供給手段を備えた高圧放電灯点灯装置において、
第１の周波数及び該第１の周波数よりも高い第２の周波数について、前記低周波矩形波電流の波形が、該第１又は第２の周波数から選択される周波数の正電流半波要素と該第１又は第２の周波数から選択される周波数の負電流半波要素との繰り返しからなり、所定の期間において該第１及び第２の周波数の正電流半波要素の実効値と該第１及び第２の周波数の負電流半波要素の実効値とが実質的に等しい波形であり、
前記低周波矩形波電流の繰り返しが、
該第１又は第２の周波数からランダムに選択される周波数の正電流半波要素と該第１又は第２の周波数からランダムに選択される周波数の負電流半波要素との繰り返しである高圧放電灯点灯装置。
【請求項４】
一対の電極を有する高圧放電灯に、（ｉ）５０Ｈｚ以上１ｋＨｚ以下の低周波矩形波電流及び該低周波矩形波電流の極性反転時に挿入される１ｋＨｚより高い高周波電流１サイクルからなる交流電流であって該高周波電流１サイクルのうちの少なくとも後半の半サイクルのピーク電流値が該低周波矩形波の電流値よりも高い交流電流、又は（ii）５０Ｈｚ以上１ｋＨｚ以下の低周波矩形波電流及び該低周波矩形波電流からなる交流電流であって該低周波矩形波電流を構成する各半波要素の後半の実効電流値が前半の実効電流値よりも高い交流電流、のいずれかを供給するための交流電力供給手段を備えた高圧放電灯点灯装置において、
第１の周波数及び該第１の周波数よりも高い第２の周波数について、前記低周波矩形波電流の波形が、該第１又は第２の周波数から選択される周波数の正電流半波要素と該第１又は第２の周波数から選択される周波数の負電流半波要素との繰り返しからなり、所定の期間において該第１及び第２の周波数の正電流半波要素の実効値と該第１及び第２の周波数の負電流半波要素の実効値とが実質的に等しい波形であり、
さらに、前記高圧放電灯のランプ電圧を検出するランプ電圧検出手段を備え、
前記交流電力供給手段が、検出されるランプ電圧に応じて前記第１の周波数の正電流半波要素及び負電流半波要素の含有率を制御するよう構成され、低ランプ電圧側での前記含有率が高ランプ電圧側での前記含有率よりも低い高圧放電灯点灯装置。
【請求項５】
請求項１から４いずれか一項に記載の高圧放電灯点灯装置、前記高圧放電灯、該高圧放電灯が取り付けられるリフレクタ、及び少なくとも該高圧放電灯点灯装置を内包する筐体を備えた光源装置。
【発明の詳細な説明】
【技術分野】
【０００１】
本発明は交流のランプ電流を供給して高圧放電灯を点灯させる高圧放電灯点灯装置および点灯方法に関する。
【背景技術】
【０００２】
液晶プロジェクタ等に用いられる高圧放電灯装置は直流電源から供給される電流を５０Ｈｚ〜１ｋＨｚの矩形波電流（以下、「基準周波電流」という）に変換して高圧放電灯の点灯極性を切り替えながら点灯させるように構成されている。ここで高圧放電灯とは高圧水銀ランプ（以下、「ランプ」という）であり、ハロゲン物質、希ガス及び水銀が封入されていて、発光管内には一対の電極が対向配置されている。
【０００３】
ところで、上記のようなランプを基準周波電流で点灯し続けると、放電アークの起点が電極先端上でジャンプするいわゆるフリッカが発生してしまうことが知られている。これは点灯時間が進むにつれ図１１（ａ）のように電極先端が荒れて複数の突起が形成され、点灯中に放電アークの起点がその複数の突起間を移動してしまうことによるものである。
【０００４】
このフリッカを抑制するために、ランプに何らかの特殊な波形の電流（以下、「フリッカ抑制波形電流」という）を投入することによる対策がこれまで報告されてきた。例えば、フリッカ抑制波形電流として、図１２（ａ）及び（ｂ）に示すように、低周波矩形波電流をベースとしてその半サイクル間に高周波電流を１サイクル挿入し、その高周波部分の後半の半サイクル又は１サイクル全部を基準波部分の電流よりも大きくするものが開示されている（例えば、特許文献１）。そして、このような電流波形で点灯することにより、ランプ電極先端に図１１（ｂ）に示すような１つの突起が形成され、その突起にアークの起点が定まることによりフリッカが抑制されるというものである。
【０００５】
また、他のフリッカ抑制波形電流として、図１３（ａ）及び（ｂ）に示すように、低周波矩形波電流をベースとして、その半サイクルにおいて前半よりも後半の方で実効電流が高いような電流波形が開示されている（例えば、特許文献２及び３）。
【０００６】
なお、後述する従来技術における課題及び本発明の動作の理解を容易にするために、特許文献１の電流波形を生成するための装置の回路構成及びその動作をここで説明しておく。
図１は一般的な高圧放電灯の回路構成図であり、全波整流回路１０、全波整流回路１０の直流電圧をＰＷＭ（パルス幅変調）制御回路により所定のランプ電力に制御する降圧チョッパ回路２０、降圧チョッパ回路２０の直流出力電圧を低周波の交流矩形波電圧に変換してランプ６０に印加するためのフルブリッジ回路４０、ランプ始動時に高圧パルス電圧をランプに印加するためのイグナイタ回路５０、及びランプ電力を検出し定ランプ電力制御や定ランプ電流制御を行うための制御回路３０で構成されている。
【０００７】
全波整流回路１０の電圧を受け動作する降圧チョッパ回路２０はＰＷＭ制御回路３７により駆動されるトランジスタ２１、ダイオード２２、チョークコイル２３、及び平滑コンデンサ２４で構成され、全波整流回路１０から供給される直流電圧に対して所定のランプ電力制御またはランプ電流制御を行うようになっている。
【０００８】
制御回路３０は、ランプ６０に並列に接続されたランプ電圧を分圧して検出する抵抗３１及び３２による分圧電圧とランプ６０と直列に接続されランプ電流を検出する抵抗３３の電圧とを乗算処理してランプ電力を算出する乗算器３４、乗算器３４の出力端と直流電源３８の電圧とを比較する誤差増幅器３５、及び誤差増幅器３５の出力が入力され、降圧チョッパ回路２０のトランジスタ２１の駆動パルスを出力するＰＷＭ制御回路３７で構成される。直流電源３８とブリッジ制御回路４５は中央制御部３９に接続され、同じクロック信号を用いて直流電源３８の出力電圧の高／低（それに応じてトランジスタ２１のオンデューティ比）、及びトランジスタ４１〜４４のオン／オフが周期的に連動制御される。
【０００９】
ＰＷＭ制御回路３７は誤差増幅器３５の出力に応じたデューティ比の駆動パルスを発生して、降圧チョッパ回路２０のトランジスタ２１を駆動する。これによりランプ電圧が所定値以上の場合はランプ電力が一定になるように定ランプ電力制御が行われ、所定値以下の場合はランプ電流が一定になるように定ランプ電流制御が行われるようになっている。
【００１０】
図１２（ｃ）及び（ｄ）に、それぞれ図１２（ａ）及び（ｂ）の電流波形を形成するための、フルブリッジ回路４０のトランジスタ４１〜４４のオン／オフ、降圧チョッパ２０のトランジスタ２１のオンデューティ比、及びランプ電流についてのタイミングチャートを示す。
図示するように印加されるランプ電流波形は、１サイクルの高周波電流の期間（ＴＨＦ）と半サイクルの低周波電流の期間の繰り返しからなり、図１２（ａ）及び（ｃ）では期間ＴＨＦの後半の半サイクルの電流値が低周波電流の期間の電流値よりも高くなり、一方、図１２（ｂ）及び（ｄ）では期間ＴＨＦの１サイクル全体の電流値が低周波電流の期間の電流値よりも高くなっている。
【００１１】
なお、図１２（ａ）及び（ｂ）のｔ０からｔ１の期間を１周期とする周波数は５０Ｈｚ〜１ｋＨｚ程度である。また、図１２においては、図面の明瞭化のために低周波部分の期間に対する高周波部分の期間の幅を大きめに図示している。
【特許文献１】特開２００６−２０２７７５号公報
【特許文献２】特開２００３−２４３１９５号公報
【特許文献３】特表平１０−５０１９１９号公報
【発明の開示】
【発明が解決しようとする課題】
【００１２】
上記の技術を用いれば、種々のフリッカ抑制波形電流によってランプ電極先端に突起が形成されることによりフリッカが好適に抑制されるようにみえる。しかし、このような電流を流し続けると、ランプに関して突起の過度の成長に関する問題が生じる場合があることが分かってきた。
【００１３】
ここで、電極に突起が形成され、それが成長する原理は必ずしも明確ではないが以下のように推測される。
液晶プロジェクタ用の高圧水銀ランプは一般的に、封入物として水銀のほかにハロゲン物質が封入されている。このハロゲン物質のハロゲンサイクルが行われることによりタングステンが蒸発し発光管内に存在するハロゲン等と結合するとタングステン化合物を形成する。このタングステン化合物は対流などによって管璧付近から電極先端付近へ拡散し、高温部でタングステン原子に分解される。そしてタングステン原子はアーク中で電離することで陽イオンとなる。交流点灯している両電極が陽極と陰極を点灯周波数ごとに繰り返すが、この陰極動作をしている時にアーク中の陽イオンは、電界によって陰極側に引き寄せられることで両電極先端に析出され、それが突起を形成するものと考えられている。
【００１４】
その結果として、電極の先端が突起状に成長することによりアーク長が短くなるとともにランプ電圧も次第に低下して行く場合がある。しかし、電極先端の突起が成長してランプ電圧が所定値以下になると、ランプ電流を定格電流範囲内で最大限に流しても定格のランプ電力が供給されなくなる。この現象は特に点灯時間の短い初期段階で起こり、このため、ランプ電極温度が低下しさらに電極の突起が成長しランプ電圧の低下が進んでしまう悪循環に陥る場合がある。そして、さらにランプ電圧が低下することによりランプ電力が低減すると、光出力の低下に加え発光管内のタングステンのハロゲンサイクルが充分に行うことができずランプの発光管内の黒化が進み、ランプが短寿命となってしまう問題が生ずる。
【００１５】
特許文献１〜３について、それぞれのフリッカ抑制波形電流による突起形成・成長のメカニズムやその効果はそれぞれ異なるものと考えられるが、何らかのフリッカ抑制波形電流を印加し続けた結果として上述したように突起が必要以上に成長してしまう。
【課題を解決するための手段】
【００１６】
本発明の第１の側面は、一対の電極を有する高圧放電灯に、５０Ｈｚ以上１ｋＨｚ以下の低周波矩形波電流及びその低周波矩形波電流の極性反転時に挿入される１ｋＨｚより高い高周波電流１サイクルからなる交流電流であって高周波電流１サイクルのうちの少なくとも後半の半サイクルのピーク電流値が低周波矩形波の電流値よりも高い交流電流を供給するための交流電力供給手段を備えた高圧放電灯点灯装置において、第１の周波数＜第２の周波数として、低周波矩形波電流の波形が、第１又は第２の周波数から選択される周波数の正電流半波要素と第１又は第２の周波数から選択される周波数の負電流半波要素との繰り返しからなり、所定の期間において第１及び第２の周波数の正電流半波要素の実効値と第１及び第２の周波数の負電流半波要素の実効値とが実質的に等しい波形である高圧放電灯点灯装置である。
【００１７】
本発明の第２の側面は、一対の電極を有する高圧放電灯に、５０Ｈｚ以上１ｋＨｚ以下の低周波矩形波電流及びその低周波矩形波電流からなる交流電流であって低周波矩形波電流を構成する各半波要素の後半の実効電流値が前半の実効電流値よりも高い交流電流を供給するための交流電力供給手段を備えた高圧放電灯点灯装置において、第１の周波数＜第２の周波数として、低周波矩形波電流の波形が、第１又は第２の周波数から選択される周波数の正電流半波要素と第１又は第２の周波数から選択される周波数の負電流半波要素との繰り返しからなり、所定の期間において第１及び第２の周波数の正電流半波要素の実効値と第１及び第２の周波数の負電流半波要素の実効値とが実質的に等しい波形である高圧放電灯点灯装置である。
【００１８】
上記第１又は第２の側面において、低周波矩形波電流の繰り返しを、第１又は第２の周波数から交互に選択される周波数の正電流半波要素と第１又は第２の周波数から交互に選択される周波数の負電流半波要素との繰り返しとしてもよい。
また、低周波矩形波電流を第１及び第２の波形群の繰り返しで構成し、第１の波形群を第１の周波数の正電流半波要素及び負電流半波要素で構成し、第２の波形群を第２の周波数の正電流半波要素及び負電流半波要素で構成してもよい。
また、低周波矩形波電流を等しい時間幅の第１及び第２の波形群の繰り返しで構成し、第１の波形群を第１の周波数の正電流半波要素及び第２の周波数の負電流半波要素で構成し、第２の波形群を第２の周波数の正電流半波要素及び第１の周波数の負電流半波要素で構成してもよい。
また、低周波矩形波電流の繰り返しを、第１又は第２の周波数からランダムに選択される周波数の正電流半波要素と第１又は第２の周波数からランダムに選択される周波数の負電流半波要素との繰り返しとしてもよい。
【００１９】
またさらに、高圧放電灯のランプ電圧を検出するランプ電圧検出手段を備え、交流電力供給手段が、検出されるランプ電圧に応じて第１の周波数の正電流半波要素及び負電流半波要素の含有率を、低ランプ電圧側での含有率が高ランプ電圧側での含有率よりも低くなるように制御する構成とした。
【００２０】
本発明の第３の側面は、上記第１及び第２の側面の高圧放電灯点灯装置、高圧放電灯、高圧放電灯が取り付けられるリフレクタ、及び少なくとも高圧放電灯点灯装置を内包する筐体を備えた光源装置である。
【発明の効果】
【００２１】
本発明によると、点灯時間の短い初期段階においても定格のランプ電力が配給されランプの短寿命を防ぎ、かつライフ中におけるアークジャンプに起因するフリッカを抑制して長寿命なランプを提供することが可能となる。
【発明を実施するための最良の形態】
【００２２】
＜各実施例における共通事項＞
ここで、各周波数要素とその効果について整理すると以下のようになる。
（１）低めの周波数の低周波電流による効果・・・ライフ前半（特に初期）において突起が過度に成長し易く、短寿命をもたらす可能性があるが、ライフ後半においては電極表面の荒れが少なく良好な点灯特性が得られる。
（２）高めの周波数の低周波電流による効果・・・ライフ前半における過度の突起成長を抑制する効果があるが、ライフ後半においては電極表面の荒れをもたらし長寿命化が図れない。
（３）フリッカ抑制波形電流による効果・・・ライフ中盤で突起を適切に形成・維持する効果があるが、ライフ前半での過度の突起成長やライフ後半での電極表面の荒れをもたらす場合がある。
なお、以降の説明において、上記の低めの周波数を第１の周波数ｆ１とし、高めの周波数を第２の周波数ｆ２とする。ここで、「低め」と「高め」の境界はランプの種類によって異なるが、前述した基準周波電流の周波数がｆ１又はｆ２に該当する。
【００２３】
本発明の各実施例の高圧放電灯点灯装置の回路構成としては、一般的な構成として先に示した図１又は後述する図８のものが採用される。しかし、以降の説明に接した当業者であれば、本発明の特徴はランプ電流波形にあり、それを出力するための回路構成は図示した構成に限られないことは分かるはずである。即ち、交流電流を出力し、その反転タイミング及び電流値を制御できれば他の回路構成であってもよい。
【００２４】
図２は本発明におけるランプ電流波形を構成する各半波要素である。図２において、（ａ）はｆ１の正電流半波要素ＩＬ１＋、（ｂ）はｆ２の正電流半波要素ＩＬ２＋、（ｃ）はｆ１の負電流半波要素ＩＬ１−、（ｄ）はｆ２の負電流半波要素ＩＬ１−を示す。
ここで、ｆ１及びｆ２とも実験等によりその効果が確認済みのものであり、本発明においては、５０Ｈｚ≦ｆ１＜ｆ２≦１ｋＨｚであるものとする。
なお、下限の５０Ｈｚは、交流ランプ電流の極性反転が視認されないようにするために（ちらつき回避のために）最低限確保したい周波数であり、上限の１ｋＨｚは、ランプバルブ内での定在波発生による音響共鳴現象を回避するために超えない方が望ましい周波数である。
【００２５】
各実施例の交流ランプ電流においては、ｆ１又はｆ２から選択された正電流半波要素（ＩＬ１＋又はＩＬ２＋）とｆ１又はｆ２から選択された負電流半波要素（ＩＬ１−又はＩＬ２−）とが交互に繰り返され、これをフリッカ抑制波形とするために他の波形要素を付加し、又は変形する。なお、一対の電極間で対称性を確保するために、所定の期間において正電流半波要素ＩＬ１＋及びＩＬ２＋の合計の実効値と負電流半波要素ＩＬ１−及びＩＬ２−の合計の実効値が実質的に等しい波形となるようにする。所定の期間とは数百ｍｓから数分の範囲の期間をいい、ランプの種類や制御の目的によって適宜選択される。
【００２６】
＜実施例１＞
図３（ａ）及び（ｂ）に本発明の第１の実施例によるランプ電流波形を示す。図３（ａ）及び（ｂ）は、それぞれ従来例の図１２（ａ）及び（ｂ）のフリッカ抑制電流波形において、低周波矩形波電流の部分をｆ１及びｆ２で交互に繰り返すものである。言い換えると、ランプ電流波形は、ＩＬ１＋→ＩＬ１−→ＩＬ２＋→ＩＬ２−を繰り返すとともに、極性反転ごとに高周波電流１サイクルが挿入される。
【００２７】
これにより、電極表面に突起を維持しつつも、ライフ初期ないし前半における突起の過度の成長を抑制して短寿命化を防ぎ、ライフ後半での電極の荒れを軽減して長寿命化を図ることができる。即ち、ランプが本来予定している寿命を確実に全うすることができ、さらにはランプの長寿命化を可能とする。
【００２８】
＜実施例２＞
図４（ａ）及び（ｂ）に本発明の第２の実施例によるランプ電流波形を示す。図４（ａ）及び（ｂ）は、それぞれ従来例の図１３（ａ）及び（ｂ）のフリッカ抑制波形電流においてその周波数をｆ１及びｆ２で交互に繰り返すものである。
具体的には、図４（ａ）は電流の極性反転後から次の極性反転にかけて徐々に電流値が増加するものであり、図４（ｂ）は電流反転直前に電流値の高い期間が設けられている。なお、両図において、電流値のピーク部分は必ずしも極性反転直前になくてもよいが、各半波の後半にあることが望ましい。これにより、第１の実施例とほぼ同じ効果が得られる。
【００２９】
＜他のバリエーション＞
以下に示すバリエーションは、上記第１及び第２の実施例の波形構成のいずれかをベースとして、半波要素ＩＬ１＋、ＩＬ２＋、ＩＬ１−及びＩＬ２−の並び方を変えたものである。
なお、以下に示すランプ電流波形は例示に過ぎない。各半波要素の組み合わせ方、又は各半波要素自体の変形の態様は本発明の趣旨に従う可能な態様を全て含むものとする。
【００３０】
図５は電流波形を第１の群Ｇ１及び第２の群Ｇ２で構成し、Ｇ１にはｆ１の要素（ＩＬ１＋及びＩＬ１−）を、Ｇ２にはｆ２の要素（ＩＬ２＋及びＩＬ２−）を配列したものである。このように配列すれば、後述するフィードバック制御などによりｆ１又はｆ２の要素の含有率を調整する際に、各波形要素の波数を制御するのではなく、Ｇ１又はＧ２の期間長を制御すればよいので制御の簡素化を図ることができる。
【００３１】
図６は電流波形を第１の群Ｇ１及び第２の群Ｇ２で構成し、Ｇ１には要素ＩＬ１＋及びＩＬ２−を、Ｇ２にはＩＬ２＋及びＩＬ１−の要素を配列したものである。即ち、Ｇ１においては正電流のデューティ比が高く、Ｇ２においては負電流のデューティ比が高い。ここで、正負電流の対称性を確保するためにＧ１の期間長とＧ２の期間長は等しいものとする。このように配列することで、仮に一方の電極の突起が過度に成長してしまったとしても他方の電極は成長していないので電極間距離がある程度保たれ、従来例で説明したような短寿命の問題をより確実に回避することができる。即ち、ｆ１又はｆ２の設定が最適な周波数でなかったとしても、両方の電極の突起が同時に過度に成長する事態は回避される。言い換えると、ｆ１及びｆ２の設定の自由度が増す。特に、ｆ１の最適値が５０Ｈｚ未満にありｆ１をその最適値よりも高い５０Ｈｚ以上に設定せざるを得ない場合に特に有効である。
【００３２】
図７はその並び方をランダムにしたものである。即ち、ｆ１又はｆ２からランダムに選択される正電流半波要素（ＩＬ１＋又はＩＬ２＋）とｆ１又はｆ２からランダムに選択される負電流半波要素（ＩＬ１−又はＩＬ２−）とが交互に繰り返される。所定の長さの期間において、ＩＬ１＋及びＩＬ２＋の合計実効値とＩＬ１−及びＩＬ２−の合計実効値が実質的に等しい波形とする対称性が必要であるが、ランダム性によりその対称性が確保される。また、ｆ１の要素とｆ２の要素とをランダムに組み合わせることにより、特定の周波数成分のノイズが大きくなるのを防止する効果も期待できる。
【００３３】
＜実施例３＞
図８は第３の実施例の回路構成を示す図である。本実施例は、図３〜図７に示す波形のいずれかをベースとして、ランプ電圧のフィードバックにより各要素の含有率を制御するものである。図８の回路は、ランプ電圧の検出結果をランプ電圧判定回路３０３に取り込む点で図１の回路とは異なる。図８において、ランプ電圧検出回路である抵抗３１及び３２によって検出されたランプ電圧値ＶＬがランプ電圧判定回路３０３に入力され、中央制御部３９によってランプ電圧ＶＬに応じて周波数ｆ１又はｆ２の要素が増量又は減量され、各周波数の要素の含有率が制御される。
【００３４】
具体的には、（例えばライフ前半に起こり易い現象として）ランプ電圧ＶＬが所定値以下に減少した場合、電極の突起が過度に成長していることになるので、周波数ｆ１の要素の含有率ｐ１を減少させ、周波数ｆ２の要素の含有率ｐ２を増加させる必要がある。
そこで、中央制御部３９がｆ１の要素ＩＬ１＋及びＩＬ１−を減量し、又はｆ２の要素ＩＬ２＋及びＩＬ２−を増量し、これにより、周波数ｆ１の効果が弱まるとともに周波数ｆ２の効果が強まり、突起の過度の成長が抑えられる。
【００３５】
逆に、（例えばライフ後半に陥り易い状況として）ランプ電圧ＶＬが所定値以上に上昇した場合、電極の消耗が進んでいることになるので、周波数ｆ１の要素の含有率ｐ１を増加させ、周波数ｆ２の要素の含有率ｐ２を減少させる必要がある。
そこで、中央制御部３９がｆ１の要素ＩＬ１＋及びＩＬ１−を増量し、又は周波数ｆ２の要素ＩＬ２＋及びＩＬ２−を減量し、これにより、周波数ｆ１の効果が強まるとともに周波数ｆ２の効果が弱まり、電極の消耗が抑えられる。
【００３６】
なお、ランプ電圧ＶＬと含有率ｐ１の関係を示すと図９のようになる。図９（ａ）のようにランプ電圧ＶＬが適正な範囲にある場合は含有率ｐ１を（例えば５０％で）一定とし、あるしきい値以上又は以下においてランプ電圧ＶＬに対して含有率ｐ１を単調増加させるようにしてもよいし、（ｂ）のようにランプ電圧ＶＬの全域に亘ってランプ電圧ＶＬに対して含有率ｐ１を単調増加させるようにしてもよい。また、（ｃ）のようにステップ状に複数段変化させてもよいし、（ｄ）のように２値間で変化させるものとしてもよい。なお、図９（ａ）及び（ｃ）のＶ１は６０Ｖ前後を、Ｖ２は１００Ｖ前後を想定しているが、具体的な設定はランプの種類や制御の態様により異なる。
【００３７】
また、どのようなランプ電流波形で点灯していてもライフの後半（特に末期）では電極が消耗する。即ち、突起の長さに変化がないと仮定すると、ランプ電圧ＶＬはライフとともに上昇する。従って、図９の各図の関係に従ってランプ電流波形を制御することにより、突起が過度に成長し易いライフ前半（特に初期）にはｐ１＜ｐ２となり、突起成長を抑制する傾向が強まり、ライフ後半（特に末期）にはｐ１＞ｐ２となり、電極消耗の抑制の傾向が強まり、結果としてランプの長寿命化を図ることができる。
【００３８】
＜実施例４＞
実施例１から３においては、ランプの長寿命化を可能とする高圧放電灯点灯装置を示したが、本実施例ではそれを用いたアプリケーションとしてのプロジェクタを図１０に示す。図１０において、７１は上記で説明した実施例の高圧放電灯点灯装置、７２は高圧放電灯５０が取り付けられるリフレクタ、７３は高圧放電灯点灯装置７１、高圧放電灯５０及びリフレクタ７２を内蔵する筐体である。なお、図は実施例を模擬的に図示したものであり、寸法、配置などは図面通りではない。そして、図示されない映像系の部材等を筐体７３内に適宜配置してプロジェクタが構成される。
これにより、ランプ交換サイクルが長くメンテナンス周期の長いプロジェクタを得ることができる。
【図面の簡単な説明】
【００３９】
【図１】一般的な高圧放電灯点灯装置の回路構成を示す図である。
【図２（ａ）】本発明を説明するための図である。
【図２（ｂ）】本発明を説明するための図である。
【図２（ｃ）】本発明を説明するための図である。
【図２（ｄ）】本発明を説明するための図である。
【図３（ａ）】本発明第１の実施例のランプ電流波形を示す図である。
【図３（ｂ）】本発明第１の実施例のランプ電流波形を示す図である。
【図４（ａ）】本発明第２の実施例のランプ電流波形を示す図である。
【図４（ｂ）】本発明第２の実施例のランプ電流波形を示す図である。
【図５】本発明の変形例を示す図である。
【図６】本発明の変形例を示す図である。
【図７】本発明の変形例を示す図である。
【図８】本発明第３の実施例の高圧放電灯点灯装置の回路構成を示す図である。
【図９（ａ）】本発明第３の実施例を説明する図である。
【図９（ｂ）】本発明第３の実施例を説明する図である。
【図９（ｃ）】本発明第３の実施例を説明する図である。
【図９（ｄ）】本発明第３の実施例を説明する図である。
【図１０】本発明の第４の実施例である光源装置の図である。
【図１１（ａ）】従来技術を説明する図である。
【図１１（ｂ）】従来技術を説明する図である。
【図１２（ａ）】従来技術を説明する図である。
【図１２（ｂ）】従来技術を説明する図である。
【図１２（ｃ）】従来技術を説明する図である。
【図１２（ｄ）】従来技術を説明する図である。
【図１３（ａ）】従来技術を説明する図である。
【図１３（ｂ）】従来技術を説明する図である。
【符号の説明】
【００４０】
１：ＡＣ電源
１０：全波整流回路
１１：ダイオード
１２：コンデンサ
２０：降圧チョッパ回路
２１：トランジスタ
２２：ダイオード
２３：チョークコイル
２４：コンデンサ
３０：制御回路
３１，３２，３３：抵抗
３４：乗算器
３５：誤差増幅器
３６：積分回路
３７：ＰＷＭ制御回路
３８：直流電源
３９：中央制御部
３０１．切替え手段
３０２．タイマ（決定手段）
３０３．ランプ電圧判定回路（決定手段）
４０：フルブリッジ回路
４１，４２，４３，４４：トランジスタ
４５：ブリッジ制御回路
５０：イグナイタ回路
５１：イグナイタ制御回路
６０：高圧放電灯
７１．高圧放電灯点灯装置
７２．リフレクタ
７３．筐体
【図１】
0005024544.tif 000002
【図２（ａ）】
0005024544.tif 000003
【図２（ｂ）】
0005024544.tif 000004
【図２（ｃ）】
0005024544.tif 000005
【図２（ｄ）】
0005024544.tif 000006
【図３（ａ）】
0005024544.tif 000007
【図３（ｂ）】
0005024544.tif 000008
【図４（ａ）】
0005024544.tif 000009
【図４（ｂ）】
0005024544.tif 000010
【図５】
0005024544.tif 000011
【図６】
0005024544.tif 000012
【図７】
0005024544.tif 000013
【図８】
0005024544.tif 000014
【図９（ａ）】
0005024544.tif 000015
【図９（ｂ）】
0005024544.tif 000016
【図９（ｃ）】
0005024544.tif 000017
【図９（ｄ）】
0005024544.tif 000018
【図１０】
0005024544.tif 000019
【図１１（ａ）】
0005024544.tif 000020
【図１１（ｂ）】
0005024544.tif 000021
【図１２（ａ）】
0005024544.tif 000022
【図１２（ｂ）】
0005024544.tif 000023
【図１２（ｃ）】
0005024544.tif 000024
【図１２（ｄ）】
0005024544.tif 000025
【図１３（ａ）】
0005024544.tif 000026
【図１３（ｂ）】
0005024544.tif 000027